(57)【要約】  本発明の目的は、テキスタイルを調整しやすく連続的に通す一方で、通り抜ける筒状織物（１２）の品質を損なうことのない、円形エキスパンダ（１）を提供することである。このために、任意に円形エキスパンダの入口または出口には磁気軸受（８）が設けられ、そして円形エキスパンダの反対端には従来のローラ軸受（９）が設けられる。
2008523260.tif 000002
【特許請求の範囲】
【請求項１】
筒状織編物（１２）の処理用の円形エキスパンダであって、
伸縮自在に変位可能な中心担体（３）であって、そこに、外側に広げられる支持体が関節接合され、該支持体は、該筒状織物（１２）を長手方向に案内するための要素に接続されている、中心担体（３）と、
筒状織物入口（４）として該中心担体（３）の一端に形成された、該筒状織物（１２）を送入するための第１のデバイスと、
筒状織物出口（５）として該中心担体（３）の他端に形成された、該筒状織物（１２）を送出するための第２のデバイスと、
該第１のデバイスまたは該第２のデバイスに選択的に係合する、円形の広がりの大きさを設定するためのリフティング装置（１１）と、
該中心担体（３）に動作可能に接続された、設定された円形の広がりの大きさを固定するための装置と、
を含む円形エキスパンダにおいて、
選択的に、前記第１のデバイスまたは前記第２のデバイスが、好ましくは前記中心担体（３）の一方の自由端に配置された回転対称体（７）と、電磁石（８．２）を装備したモジュール（８．１）とで構成され、そのモジュール（８．１）は前記回転対称体（７）を部分的に取り囲んで第１の織物隙間（１４．１）を形成すること、
前記モジュール（８．１）のそれぞれが、前記電磁石（８．２）の磁力を調整するための距離センサ（８．３）を保有すること、
前記電磁石（８．２）は、前記中心担体（３）のための磁気軸受を形成する磁力を生成すること、
前記中心担体（３）の他方の自由端には、支持ローラ対と固定ローラ対とからなり、その間に、第２の織物隙間（１４．２）が形成される、それ自体が公知であるローラ取付台（９）が配置されること
を特徴とする円形エキスパンダ。
【請求項２】
前記回転対称体（７）が、完全に強磁性体で構成されることを特徴とする請求項１に記載の円形エキスパンダ。
【請求項３】
前記回転対称体（７）が部分的に強磁性体で構成されることを特徴とする請求項１に記載の円形エキスパンダ。
【請求項４】
強磁性要素が、前記回転対称体（７）の外周に組み込まれることを特徴とする請求項１に記載の円形エキスパンダ。
【請求項５】
永久磁石要素が、前記回転対称体（７）の外周に組み込まれることを特徴とする請求項２〜４のいずれか一項に記載の円形エキスパンダ。
【請求項６】
前記電磁石（８．２）および前記距離センサ（８．３）が、前記モジュール（８．１）内に組み込まれることを特徴とする請求項１に記載の円形エキスパンダ。
【請求項７】
前記電磁石（８．２）に加えて、永久磁石も前記モジュール（８．１）に組み込まれることを特徴とする請求項１に記載の円形エキスパンダ。
【請求項８】
前記第１の織物隙間（１４．１）の設定および調整のために、少なくとも３つの距離センサ（８．３）と少なくとも３つの電磁石（８．２）が、前記モジュール（８．１）の周囲に等間隔で分配されて配置されることを特徴とする請求項１に記載の円形エキスパンダ。
【請求項９】
それぞれ電磁石（８．２）と距離センサ（８．３）が、制御装置（８．４）と一緒に制御ループを形成することを特徴とする請求項１に記載の円形エキスパンダ。
【請求項１０】
１つの制御装置（８．４）が磁石取付台（８）の前記制御ループの全てを制御することを特徴とする請求項１〜９のいずれか一項に記載の円形エキスパンダ。
【請求項１１】
前記磁石取付台（８）の前記制御ループの全てが１つの電源（８．５）から給電されることを特徴とする請求項９または１０に記載の円形エキスパンダ。
【請求項１２】
前記磁石取付台（９）の各制御ループが特定の電源（８．５）から給電されることを特徴とする請求項９または１０に記載の円形エキスパンダ。
【発明の詳細な説明】
【技術分野】
【０００１】
本発明は、処理ユニットに組み込まれかつ縦方向配置に保持され懸架される、筒状織編物の処理用の円形エキスパンダに関する。
【背景技術】
【０００２】
円形エキスパンダは、
伸縮自在に変位可能な中心担体であって、そこに、外側に広げられる支持体が関節接合され、支持体は、筒状織物を長手方向に案内するための要素に接続されている、中心担体と、
筒状織物入口として中心担体の一端に形成された、筒状織物を送入するための第１のデバイスと、
筒状織物出口として中心担体の他端に形成された、筒状織物を送出するための第２のデバイスと、
第１のデバイスまたは第２のデバイスに選択的に係合する、円形の広がりの大きさを設定するためのリフティング装置と、
中心担体に動作可能に接続された、設定された円形の広がりの大きさを固定するための装置と
で構成される。
【０００３】
類似構成を有する円形エキスパンダが、ＤＥ第１０３  ２２  ２３１号明細書およびＤＥ第１０３  ４６  ０５９号明細書から知られている。これらの文献は、円形エキスパンダの重量および負荷に適応できる取り付けを可能とし、この場合十分な織物隙間を形成する永久磁石および／または電磁石を選択的に装備する、円形エキスパンダ用の磁石取付台を説明している。この場合、少なくとも１つの筒状織物入口部分と少なくとも１つの筒状織物出口部分の双方とも、磁石を装備する部分であり、しかも織物隙間を形成するために、磁石を装備する少なくとも１つの第２の筒状織物入口部分および筒状織物出口部分によって取り囲まれる部分でもあり、その部分の磁石は同一の極性を有する。互いに対向して配置された磁石の同一の極性によって、織物隙間の形成をもたらす反発力が生じる。
【０００４】
ＤＥ第３０  ４８  ９５７号明細書には、筒状織編物のための乾燥施設の一部として、懸架状態で保持された円形エキスパンダが開示されている。この文献では、電磁石の制御によって設定可能である織物隙間が説明されている。
【０００５】
上述の解決方法は共に不利点を有するが、円形エキスパンダのその磁石取付台における安定した位置決めは、複雑な設定作業の犠牲の元にのみ達成することができる。さらに、複雑な方法で設定される懸架状態およびそれによって得られる織物隙間は、例えば通り抜ける織物等の外部からの影響によって悪い影響を受け、結果的に不安定である。
【発明の開示】
【発明が解決しようとする課題】
【０００６】
従って、本発明の目的は、簡単に設定可能で、通り抜ける筒状織物の品質を損なうことなく連続的に織物を通すことが可能になるように、先行技術から公知の円形エキスパンダユニットを発展させることに基づく。
【課題を解決するための手段】
【０００７】
この目的は、本発明によれば、円形エキスパンダの入口または出口に選択的に調整可能な磁石取付台を配置し、そして円形エキスパンダの反対端に従来のローラ取付台を配置することによって達成される。
【０００８】
垂直に配置された円形エキスパンダの下端にある筒状織物入口が磁石取付台として設計され、反対側の上側の筒状織物出口がローラ取付台として設計されるのが有利である。
【０００９】
円形エキスパンダの下側の筒状織物入口において引き合う磁力が、該入口を所定の位置に保持するので、そこに、真直ぐな第１の織物隙間が得られ、そこを織物が実質的に接触せずに通り抜けるので、織物の品質が損なわれない。織物と機械部分との間の摩擦が、障害のない入口によって最小限にされるので、織物に品質を損なう歪みや印が付くのを回避できる。
【００１０】
第１の織物隙間は、電磁石の磁力を調整することによって一定に保たれる。距離センサの測定からの信号に応じて、電磁石は、所定の第１の織物隙間が得られるように、適切な制御装置から電気エネルギーが供給される。これによって、複雑な機械的な位置合わせと設定作業の必要性をなくすことができる。生産作業中、円形エキスパンダは磁力によって懸架状態を保っている。磁石取付台の調整は、例えば、織物張力の変化等の、上下からの外部からの影響の変化に反応し、対応して電気エネルギーの磁石への供給を再調整する。
【００１１】
円形エキスパンダの他端にあるローラ取付台によって、継続的な作業中、確実に十分に案内され、例えば、織物張力が不規則なことによるおよび／または織物の構造による力等の外部からの影響に対してエキスパンダを安定させる。
【００１２】
ローラ取付台は、リフティング装置を用いて位置決め可能である。上部のローラ取付台を、その下に配置され、磁石取付台に固定された円形エキスパンダに対して最適に位置決めするおかげで、ローラ取付台の固定ローラを「自由に動かす」ことができる。それゆえ、固定ローラと支持ローラとの間の第２の織物隙間を設定できる。その結果、ローラ取付台を通り抜けるときの織物の表面圧力が最小限にされ、織物の品質への永続的効果が回避される。
【００１３】
例えば電磁石における電源異常によって、磁力が不足する場合には、ローラ取付台は、円形エキスパンダがハウジングに固定された構成要素に対して確実に支持され得るようにする。
【００１４】
本発明のさらに改良された特徴および利点は従属請求項、本発明の説明および図面から明らかになる。
【００１５】
本発明は、下記において、例示的な実施形態を参照してさらに詳しく説明される。
【発明を実施するための最良の形態】
【００１６】
図１に示す円形エキスパンダユニット１は、本質的に垂直に配置された、直径が可変の円形エキスパンダ２を備え、該円形エキスパンダは、下部に配置された筒状織物入口４と上部に配置された筒状織物出口５に伸縮自在の中心担体３を介して取り付けられる。
【００１７】
筒状織物１２は、円形エキスパンダユニット１の中心の下側に配置された入口ローラ６を介して円形エキスパンダに送入される。
【００１８】
筒状織物入口４は、本質的に中心担体３の下端に強固に接続された中心に配置された回転対称体７と、第１の織物隙間１４．１によって分離されている外側磁石取付台８とで構成される。
【００１９】
筒状織物出口５は、本質的にそれ自体が公知であるローラ取付台９で構成され、該ローラ取付台は、支持ローラ対と固定ローラ対とからなり、その間に、円形エキスパンダが磁力によって上昇されることによって、筒状織物が誘導される第２の織物隙間１４．２が得られる。
【００２０】
筒状織物１２は、円形エキスパンダユニット１の中心の上側に配置された引取ローラ１０を介して再び平らに広げられて、円形エキスパンダユニットから送出される。
【００２１】
筒状織物出口５には、それ自体が公知であるリフティング装置１１が取り付けられている。このリフティング装置は、ローラ取付台９を介して円形エキスパンダ２に接続される。ローラ取付台９を昇降することによって、円形エキスパンダ２の直径を変更することができる。
【００２２】
中心担体上にある、それ自体が公知である固定装置（図示せず）によって、織物を案内する間、円形エキスパンダの選択された直径が確実に維持される。
【００２３】
図２は、図３の断面Ａ−Ａに従って、筒状織物入口にある、調整された磁石取付台を詳細に示す。
【００２４】
円形エキスパンダの伸縮自在の中心担体３の下端に強固に接続される回転対称体７は、中心に配置される。磁石取付台８は、第１の織物隙間１４．１によって分離されて外側に配置されている。磁石取付台８は、本質的に２つのモジュール８．１で構成される。これらのモジュール８．１のそれぞれには、電磁石８．２と距離センサ８．３が装備されている。制御ループの構成要素が、適切なエネルギーラインと制御ラインとによって互いに接続される。電源８．５が、全制御ループに対する必要な電力供給を確実に行う。線図で示される制御装置８．４が、距離センサ８．３の測定から信号を受信し、信号に対応して、個別の電磁石への電力の供給を調整するので、所定の第１の織物隙間１４．１が得られる。モジュール８．１は、スタンドに固定されたフレーム部分１３に強固に接続される。
【００２５】
図３は、図２の断面Ｂ−Ｂに従って、筒状織物入口にある磁石取付台の詳細を示す。
【００２６】
この例では、中空体として示される回転対称体７が、中心に配置される。磁石取付台８は、第１の織物隙間１４．１によって分離されるように、回転対称体７を取り囲んで外側に配置される。磁石取付台８は、本質的にモジュール８．１で構成される。モジュール８．１のそれぞれには、２つの制御ループが装備される。各制御ループは、電磁石８．２と、距離センサ８．３と、制御装置（ここでは図示せず）とで構成される。モジュール８．１は、スタンドに固定されたフレーム部分１３に強固に接続される。
【００２７】
円形エキスパンダ２の構造設計は公知であるので、ここでは詳細には説明しない。
【図面の簡単な説明】
【００２８】
【図１】下部の入口側に磁石取付台、および上部の出口側にローラ取付台が設計された円形エキスパンダユニットを示す。
【図２】図３の断面Ａ−Ａに従って磁石取付台の詳細を示す。
【図３】図２の断面Ｂ−Ｂに従って磁石取付台の図を示す。
【図１】
2008523260.tif 000003
【図２】
2008523260.tif 000004
【図３】
2008523260.tif 000005
【国際調査報告】
2008523260.tif 000006
2008523260.tif 000007
2008523260.tif 000008
2008523260.tif 000009
2008523260.tif 000010
2008523260.tif 000011